(57)【要約】【課題】レンズ鏡胴において、組み付け時又は組み付け後の焦点調整を容易にする。【解決手段】ベース１０、レンズ保持枠３０を光軸方向Ｌに移動自在に案内するガイドシャフト４０、レンズ保持枠３０を光軸方向Ｌの一方側に付勢するバネ５０、カバー筐体２０、バネ５０の付勢力に抗して光軸方向Ｌにおけるレンズ保持枠３０の位置を調整する調整機構６０等を備え、調整機構６０として、レンズ保持枠３０の突出片３５に対して光軸方向Ｌにカム作用を及ぼすカム調整部材６１、カム調整部材６１を所望の調整位置にて締結する締結ネジ６２を採用する。これによれば、カム調整部材６１を移動させて、レンズ保持枠３０をバネ５０の付勢力に抗して合焦点位置に調整して締結ネジ６２でその調整位置に締結することにより、微調整しつつ焦点合わせを容易に行え、又、組み付け後においても、調整機構６０を適宜調整することで、焦点の再調整が可能である。【選択図】  図１ 
2006010885.tif 000002
【特許請求の範囲】
【請求項１】
結像面の位置を規定するベースと、レンズを保持するレンズ保持枠と、前記レンズ保持枠を光軸方向に移動自在に案内するガイド部材と、前記レンズ保持枠を光軸方向の一方側に付勢するバネと、前記バネの付勢力に抗して光軸方向における前記レンズ保持枠の位置を調整する調整機構と、を備え、
前記調整機構は、前記レンズ保持枠の一部に対して光軸方向にカム作用を及ぼすべく調整可能に支持されたカム調整部材と、前記カム調整部材を所望の調整位置にて締結する締結部材と、を有する、
ことを特徴とするレンズ鏡胴。
【請求項２】
前記ベースに連結されて被写体光が入射し得る開口部を有するカバー筐体を有し、
前記レンズ保持枠の一部は、前記カバー筐体の外側に突出する突出片からなり、
前記カム調整部材は、前記カバー筐体の外壁に対して移動自在に支持され、前記突出片と係合し得るカム部を有する、
ことを特徴とする請求項１記載のレンズ鏡胴。
【請求項３】
前記レンズ保持枠は、前記ガイド部材に案内される被ガイド部を有し、
前記突出片は、前記被ガイド部の近傍から突出して形成されている、
ことを特徴とする請求項２又は３に記載のレンズ鏡胴。
【請求項４】
前記カム調整部材は、前記カム部と対向する領域において、前記突出片が光軸方向の所定範囲で移動するのを許容すると共に接写する際の焦点位置に前記突出片を規制し得る規制部を有する、
ことを特徴とする請求項２記載のレンズ鏡胴。
【請求項５】
前記カム調整部材は、平板状に形成され、光軸方向に垂直な方向に伸長すると共にお互いに平行な二つの長孔を有し、
前記カバー筐体は、前記二つの長孔の一方に内接してガイドするガイドピンを有し、
前記締結部材は、前記二つの長孔の他方に内接してガイドする円柱状のガイド部をすると共に前記カバー筐体に螺合される段付ネジからなる、
ことを特徴とする請求項２ないし４いずれかに記載のレンズ鏡胴。
【請求項６】
前記カム調整部材は、平板状に形成され、光軸方向に垂直な方向に伸長すると共にお互いに平行な二つの長孔を有し、
前記カバー筐体は、前記二つの長孔の一方に内接してガイドするガイドピンと、前記二つの長孔の他方に内接してガイドすると共に前記締結部材を螺合し得るネジ穴をもつボスと、を有する、
ことを特徴とする請求項２ないし４いずれかに記載のレンズ鏡胴。
【発明の詳細な説明】
【技術分野】
【０００１】
本発明は、デジタルカメラ等に搭載されるレンズ鏡胴に関し、特に、組み付け時にレンズの焦点調整を行なう機構を備えたレンズ鏡胴に関する。
【背景技術】
【０００２】
デジタルカメラ等に搭載される従来のレンズ鏡胴としては、結像面（ＣＣＤ）に対して固定された一つの焦点、すなわち、数メートル以上離れた被写体を撮影する（通常撮影の）際に焦点が合う単焦点をもつレンズ鏡胴が知られている。このレンズ鏡胴の組み付けにおいては、先ず、撮像素子（ＣＣＤ）の結像面に対して、レンズを光軸方向の前後に適宜移動させて焦点合わせ（ピント調整）を行ない、その後、レンズが移動しないように、レンズをレンズ枠等に対して接着剤等で完全に固定することにより、組み付けられていた。
したがって、一旦レンズを完全に固着した後に、何らかの原因で結像面に対する焦点位置がずれた場合、分解して再度組み直すか、部品を破棄する以外に手法がなく、組み直しの手間あるいは部品の無駄を生じていた。
【０００３】
一方、組み付け時において、焦点を調整できる調整機構として、レンズ枠に対して相対的に回動可能なレンズ枠支持部材、レンズ枠を回動調整に伴い光軸方向に進退させるガイド部材、レンズ枠をレンズ枠支持部材に対して調整時にのみ回動可能とするフリクション機構等を備えたレンズ鏡胴が知られている（例えば、特許文献１参照）。
【特許文献１】特開平７−２８７１５３号公報
【発明の開示】
【発明が解決しようとする課題】
【０００４】
しかしながら、上記調整機構を備えたレンズ鏡胴においては、調整機構がレンズ枠の周りに配置される複数の部材（レンズ枠支持部材、ガイド部材、フリクション機構）により形成されるため、調整機構が複雑であり、それ故に、レンズ鏡胴が大型化し、又、構造的に微調整するのが困難であった。
また、単焦点のレンズ鏡胴を搭載したデジタルカメラ等において、数十センチメートル（例えば、３０ｃｍ程度）以内に接近した被写体を撮影する接写（マクロ撮影）を行なうと、単焦点であるが故に撮影画像がボケてしまい、良好な撮影画像が得られないという問題があった。
【０００５】
本発明は、上記従来技術の問題点に鑑みて成されたものであり、その目的とするところは、組み付け時において焦点合わせが容易に行なえ、又、組み付け後の再度の焦点合わせも容易に行なえ、さらには、接写（マクロ撮影）においても良好な撮影画像が得られるレンズ鏡胴を提供することにある。
【課題を解決するための手段】
【０００６】
本発明のレンズ鏡胴は、結像面の位置を規定するベースと、レンズを保持するレンズ保持枠と、レンズ保持枠を光軸方向に移動自在に案内するガイド部材と、レンズ保持枠を光軸方向の一方側に付勢するバネと、バネの付勢力に抗して光軸方向におけるレンズ保持枠の位置を調整する調整機構と、を備えたレンズ鏡胴であって、上記調整機構は、レンズ保持枠の一部に対して光軸方向にカム作用を及ぼすべく調整可能に支持されたカム調整部材と、カム調整部材を所望の調整位置にて締結する締結部材と、を有する、ことを特徴としている。
この構成によれば、ガイド部材によりレンズ保持枠が移動自在に支持された状態において、カム調整部材を移動させて、レンズ保持枠をバネの付勢力に抗して通常の撮影を行なう際の結像面に対する合焦点位置に調整して、締結部材によりその調整位置にて締結することにより、微調整しつつ焦点合わせを容易に行なうことができる。また、組み付け後においても、調整機構を適宜調整することで、焦点の再調整を容易に行なうことができる。
【０００７】
上記構成において、ベースに連結されて被写体光が入射し得る開口部を有するカバー筐体を有し、レンズ保持枠の一部は、カバー筐体の外側に突出する突出片からなり、カム調整部材は、カバー筐体の外壁に対して移動自在に支持され、突出片と係合し得るカム部を有する、構成を採用することができる。
この構成によれば、カム調整部材がカバー筐体の外壁に支持されると共に、レンズ保持枠の突出片（一部）がカバー筐体から外側に突出してカム調整部材のカム部に係合しているため、全体の組み付けが完了した後に、カム調整部材を適宜移動させることで、カバー筐体の外側から容易に焦点調整を行なうことができる。
【０００８】
上記構成において、レンズ保持枠は、ガイド部材に案内される被ガイド部を有し、突出片は、被ガイド部の近傍から突出して形成されている、構成を採用することができる。
この構成によれば、突出片がガイド部材により案内される被ガイド部の近傍に設けられているため、カム調整部材による調整力（外力）が突出片を介してレンズ保持枠に伝わっても、レンズ保持枠（すなわちレンズ）の倒れを防止しつつスムーズに焦点調整を行なうことができる。
【０００９】
上記構成において、カム調整部材は、カム部と対向する領域において、突出片が光軸方向の所定範囲で移動するのを許容すると共に接写する際の焦点位置に突出片を規制し得る規制部を有する、構成を採用することができる。
この構成によれば、カム調整部材により通常の撮影を行なう際の焦点に合わせた状態において、規制部に規制されるまで（例えば、カメラ側の切替えレバーにより）突出片を移動させると、レンズ（レンズ保持枠）は、接写（マクロ撮影）を行なう際の合焦点位置に位置決めされる。これにより、接写において良好な撮影画像が得られる。また、カム調整部材に対して接写の際の焦点位置を規制する規制部を一体的に設けたことで、別個に設ける場合に比べて構造を簡略化できる。
【００１０】
上記構成において、カム調整部材は、平板状に形成され、光軸方向に垂直な方向に伸長すると共にお互いに平行な二つの長孔を有し、カバー筐体は、二つの長孔の一方に内接してガイドするガイドピンを有し、締結部材は、二つの長孔の他方に内接してガイドする円柱状のガイド部をすると共にカバー筐体に螺合される段付ネジからなる、構成を採用することができる。
この構成によれば、カム調整部材が平板状に形成されるため全体を小型化でき、又、ガイドピンと段付ネジのガイド部とにより、カム調整部材は移動自在支持され又所望の位置に締結される。焦点調整に際しては、段付ネジを若干緩めて、カム調整部材を適宜移動させることで、そのカム部が突出片にカム作用を及ぼし、微調整しつつ高精度に焦点を合わせることができる。
【００１１】
また、上記構成において、カム調整部材は、平板状に形成され、光軸方向に垂直な方向に伸長すると共にお互いに平行な二つの長孔を有し、カバー筐体は、二つの長孔の一方に内接してガイドするガイドピンと、二つの長孔の他方に内接してガイドすると共に締結部材を螺合し得るネジ穴をもつボスと、を有する、構成を採用することができる。
この構成によれば、カム調整部材が平板状に形成されるため全体を小型化でき、又、締結部材を螺合する前の状態でも、カム調整部材はガイドピンとボスとにより移動自在に支持され、又、ボスのネジ穴に締結部材を螺合することでカム調整部材は所望の位置に締結される。焦点調整に際しては、締結部材を若干緩めて、カム調整部材を適宜移動させることで、そのカム部が突出片にカム作用を及ぼし、微調整しつつ高精度に焦点を合わることができる。
【発明の効果】
【００１２】
以上述べたように、本発明のレンズ鏡胴によれば、結像面の位置を規定するベースに対して、レンズ保持枠を光軸方向に移動自在に案内するガイド部材、レンズ保持枠を光軸方向の一方側に付勢するバネ、レンズ保持枠をバネの付勢力に抗して光軸方向に移動させて所定位置に調整するためのカム調整部材を含む調整機構を設けたことにより、微調整が可能であると共に、組み付け時又は組み付け後において、焦点の調整を容易に行なうことができる。特に、カム調整部材を、平板状に形成すると共にカバー筐体の外壁に支持したことにより、構造を簡略化でき、全体を小型化できると共に、調整作業を容易に行なうことができる。
さらに、カム調整部材に対して接写（マクロ撮影）の際の位置決めを行なう規制部を設けたことにより、通常撮影と接写（マクロ撮影）との両方において、ピントの合った良好な撮影画像を得ることができる。
【発明を実施するための最良の形態】
【００１３】
以下、本発明の最良の実施形態について、添付図面を参照しつつ説明する。
図１ないし図６は、本発明に係るレンズ鏡胴の一実施形態を示すものであり、図１は外観斜視図、図２は分解斜視図、図３は側面図、図４及び図５は内部を示す断面図、図６は調整機構を示す斜視図である。
【００１４】
このレンズ鏡胴は、図１及び図２に示すように、結像面の位置を規定するベース１０、ベース１０に対して着脱自在に連結されるカバー筐体２０、レンズＧを保持するレンズ保持枠３０、レンズ保持枠３０を光軸方向Ｌに移動自在に案内するガイド部材としてのガイドシャフト４０、レンズ保持枠３０を光軸方向の後方（一方側）に向けて付勢するバネ５０と、レンズ保持枠３０の光軸方向Ｌにおける位置を調整する調整機構６０等により形成されている。
【００１５】
ベース１０は、図２及び図５に示すように、樹脂材料等により略矩形形状に形成されており、その前面側において、矩形形状の開口部１１、掛止片１２等を有すると共に、カバー筐体２０と協働して内部空間を画定し、その後面側において、ガラスフィルタ１００、結像面Ｐを有する撮像素子（ＣＣＤ）１１０を保持する凹部１３を有する。すなわち、ベース１０は、結像面Ｐの位置を規定するため、レンズ保持枠３０、カバー筐体２０等を組み付ける際の基準となる。また、ベース１０の前面側には、光軸方向に伸長する２つのガイドシャフト４０が結合されている。尚、ガイドシャフト４０の一方は、光軸回りの回転を規制する回り止め用のシャフトを兼ねる。
【００１６】
レンズ保持枠３０は、図２、図４、図５に示すように、樹脂材料等により略円筒状に形成されており、その内部に（複数のレンズが配列されて形成された）レンズＧを保持する円筒部３１、円筒部３１の外周面に一体的に形成された円孔をもつ被ガイド部３２，３３及びＵ字溝をもつ被ガイド部３４、被ガイド部３２からカバー筐体２０の外側に突出するように伸長して形成された突出片３５、被ガイド部３２から上方に伸長して形成された掛止片３６等を備えている。
【００１７】
そして、レンズ保持枠３０は、図２、図４、図５に示すように、被ガイド部３２，３３，３４がガイドシャフト４０に対して摺動自在に連結されることにより、光軸回りの回転が規制されつつ、光軸方向Ｌに往復動自在に案内されるようになっている。
また、レンズ保持枠３０の突出片３５には、図１ないし図３、図５に示すように、後述する調整機構６０のカム調整部材６１の一部（カム部としてのカム面６１ａ）が係合するようになっている。
【００１８】
上記のように、レンズ保持枠３０において、突出片３５は、図２及び図４に示すように、ガイドシャフト４０により案内される被ガイド部３２の近傍に設けられているため、カム調整部材６１による調整力（外力）が突出片３５を介してレンズ保持枠３０に伝わっても、レンズ保持枠３０（すなわちレンズＧ）の倒れを防止しつつスムーズに焦点調整を行なうことができる。
【００１９】
バネ５０は、図２に示すように、コイル状の引張りバネであり、その一端部５１がベース１０の掛止片１２に掛止され、その他端部５２がレンズ保持枠３０の掛止片３６に掛止されて、レンズ保持枠３０をベース１０に向けて（光軸方向Ｌの後方側に）付勢している。
そして、調整機構６０による調整が行なわれる前の状態では、バネ５０の付勢力により、レンズ保持枠３０は、光軸方向Ｌの最も後退した位置に保持されるようになっている。
【００２０】
カバー筐体２０は、図１、図４及び図５に示すように、被写体側に向けて開口し被写体光が入射し得る開口部２１、光軸方向Ｌの所定範囲において突出片３５を移動可能に挿通させる長孔２２、ベース１０に組み付けた際に光軸方向Ｌの位置決めをする端面２３、カム調整部材６１を支持する平坦に形成された外壁２４、外壁２４に植設された円柱状のガイドピン２５及びネジ穴２６等を有し、全体として、ベース１０と協働してレンズ保持枠３０、バネ５０等を覆うように形成されている。
そして、カバー筐体２０は、ベース１０に組み付けられた後、ベース１０の背面側及びカバー筐体２０の前面側からからネジ８０（図２参照）により締結されて、ベース１０と堅固に結合される。すなわち、ベース１０に対して着脱自在となっており、ネジ８０を外すことで、容易に分解できるようになっている。
【００２１】
調整機構６０は、図１、図３、図６に示すように、カバー筐体２０の外壁２４上において光軸方向Ｌに垂直な方向Ｖに摺動自在に支持されたカム調整部材６１、カム調整部材６１を外壁２４上の所望の位置に固定する締結部材としての締結ネジ６２により構成されている。
【００２２】
カム調整部材６１は、図１、図３、図６に示すように、樹脂材料又は板金等により、厚さＨｐの平板状に形成されており、突出片３５を係合させるカム部としてのカム面６１ａ、ガイドピン２５を通す長孔６１ｂ、締結ネジ６２を通す長孔６１ｃ、調整具Ｔを挿入する調整孔６１ｄ等を有する。２つの長孔６１ｂ，６１ｃは、お互いに平行で光軸方向Ｌに垂直な方向Ｖに伸長して形成されている。
【００２３】
締結ネジ６２は、図５及び図６に示すように、カバー筐体２０のネジ穴２６に螺合されるネジ部６２ａ、ネジ部６２ａより拡径して形成された円柱状のガイド部６２ｂを有する段付ネジである。ガイド部６２ｂは、長孔６１ｃに内接して相対的に回動及び摺動し得る外径寸法でかつカム調整部材６１の厚さＨｐよりも若干薄い厚さＨｖ（＜Ｈｐ）をなすように形成されている。ガイドピン２５は、長孔６１ｂに内接して相対的に摺動する外径寸法に形成されている。
すなわち、締結ネジ６２を若干緩めると、そのガイド部６２ｂにより長孔６１ｃ（カム調整部材６１）が相対的に移動自在となり、締結ネジ６２を締め込むと、カム調整部材６１がカバー筐体２０に固定される。
【００２４】
ここで、カム調整部材６１は、図２及び図４に示すように、ガイドシャフト４０に近接した位置において外壁２４上に支持されているため、調整力をカム調整部材６１に及ぼして、突出片３５を介してレンズ保持枠３０を光軸方向Ｌに移動させる際に、調整力により生じる曲げモーメントが比較的小さく抑えられて、レンズＧの倒れが防止され、その結果、スムーズに焦点調整を行なうことができる。
【００２５】
次に、このレンズ鏡胴の組み付け手順及び焦点調整並びに動作について説明する。
先ず、複数からなるレンズＧをレンズ保持枠３０に対して組み付ける。これだけで一つのモジュールとして、レンズ相互間の距離及び光軸等の調整が成される。尚、レンズ保持枠３０に対して、各々のレンズＧは着脱自在に組み込まれている。
【００２６】
次に、ベース１０に対して二つのガイドシャフト４０を堅固に結合し、その後、被ガイド部３２，３３，３４に対してガイドシャフト４０を通すようにレンズ保持枠３０を組み付ける。これにより、レンズ保持枠３０は、光軸回りの回転が規制されつつ光軸方向Ｌに往復動自在に支持される。
【００２７】
続いて、ベース１０の掛止片１２とレンズ保持枠３０の掛止片３６との間にバネ５０を張設する。これにより、レンズ保持枠３０は、光軸方向Ｌの後方に向けて引き寄せられ、その後端面がベース１０の前面に当接した状態で保持される。
【００２８】
続いて、カバー筐体２０を、全体を覆うようにして光軸方向Ｌの前方側から装着すると共にベース１０に当接させて位置決めし、ネジ８０により締結して、ベース１０と堅固に結合する。尚、この組み付けに際して、レンズ保持枠３０の突出片３５が長孔２２から突出するように、カバー筐体２０を方向付けて組み付ける。
【００２９】
続いて、カム調整部材６１を、カバー筐体２０の外壁面２４の領域に配置し、長孔６１ｂにガイドピン２５を挿通し、又、長孔６１ｃに締結ネジ６２を通してネジ穴２６に螺合し、若干緩めた位置に仮締めする。これにより、レンズ保持枠３０の突出片３５は、光軸方向Ｌの前方からカム面６１ａに当接すると共に、カム調整部材６１は光軸方向Ｌに垂直な方向Ｖに移動自在に支持された状態となる。
【００３０】
続いて、調整具Ｔを、カム調整部材６１の調整孔６１ｄに挿通し、カム調整部材６１を微調整しつつ移動させる。このとき、カム面６１ａは、バネ５０の付勢力に抗して、突出片３５を光軸方向Ｌに移動させる。この調整においては、調整用の被写体を撮影し、ＣＣＤ１１０に結像された画像を確認しつつ、カム調整部材６１を適宜上下動（Ｖ方向に移動）させる。そして、結像面に対してレンズＧの焦点が合った時点で、締結ネジ６２をねじ込んで、カム調整部材６１を堅固に締結する。これにより、通常の撮影を行なうためのレンズの焦点調整が完了する。
【００３１】
この状態においては、通常撮影（数メートル以上離れた被写体を撮影する通常の撮影）に対して焦点が合った状態にある。したがって、通常撮影において、ピントの合った良好な撮影画像が得られる。
尚、調整後において、焦点ずれを生じた場合は、締結ネジ６２を緩めてカム調整部材６１を調整可能にすれば、再調整することができる。
【００３２】
このように、レンズ保持枠３０をバネ５０の付勢力に抗して光軸方向Ｌに移動させて所望の位置に調整し保持し得る調整機構６０（カム調整部材６１、締結ネジ６２）を採用したことにより、焦点合わせを容易に行なうことができ、又、組み付け後に焦点ずれを生じた場合にも、部品を破損することなく容易に再調整することができる。
【００３３】
図７は、本発明に係るレンズ鏡胴の他の実施形態を示すものであり、前述の実施形態における調整機構を一部変更したものである。したがって、前述実施形態と同一の構成については同一の符号を付してその説明を省略する。
すなわち、この実施形態においては、図７に示すように、カバー筐体２０の外壁２４に、前述のガイドピン２５と、ネジ穴２７ａをもつ円柱状のボス２７とが設けられている。
ボス２７は、図７に示すように、長孔６１ｃに内接して相対的に摺動し得る外径寸法でかつカム調整部材６１の厚さＨｐよりも若干薄い厚さ（背丈の低い）Ｈｖ（＜Ｈｐ）をなすように形成されている。締結ネジ６２´は、図７に示すように、ボス２７のネジ穴２７ａに螺合されるネジ部６２ａ´を有する。すなわち、締結ネジ６２´を若干緩めると、ボス２７により長孔６１ｃ（カム調整部材６１）が相対的に移動自在となり、締結ネジ６２´を締め込むと、カム調整部材６１がカバー筐体２０に固定される。
【００３４】
したがって、組み付けに際しては、カム調整部材６１を、カバー筐体２０の外壁面２４の領域に配置し、長孔６１ｂにガイドピン２５を挿通し、又、長孔６１ｃにボス２７を挿通し、締結ネジ６２´をネジ穴２７ａに螺合して、若干緩めた位置に仮締めする。
これにより、レンズ保持枠３０の突出片３５は、光軸方向Ｌの前方からカム面６１ａに当接すると共に、カム調整部材６１は光軸方向Ｌに垂直な方向Ｖに移動自在に支持された状態となる。
【００３５】
ここでは、締結ネジ６２´をねじ込む前の状態でも、カム調整部材６１はガイドピン２５とボス２７とにより、移動自在に支持されている。すなわち、締結ネジ６２´をねじ込む前でも、カム調整部材６１を所定の位置に調整自在に位置決めできるため、組み付けが容易になる。
この実施形態においても、締結ネジ６２´を若干緩めて、カム調整部材６１を適宜移動させると、そのカム面６１ａが突出片３５に対して光軸方向Ｌにカム作用を及ぼすため、微調整しつつ高精度に焦点を合わることができる。
【００３６】
図８及び図９は、本発明に係るレンズ鏡胴のさらに他の実施形態を示すものであり、前述の実施形態における調整機構を一部変更したものである。したがって、前述実施形態と同一の構成については同一の符号を付してその説明を省略する。
すなわち、この実施形態においては、図８及び図９に示すように、カム調整部材６１´は、カム面６１ａと対向する領域において、カム面６１ａと所定の間隔をおいて平行に形成された規制部としての規制縁６１ｅ´を有する。
【００３７】
規制縁６１ｅ´は、突出片３５´が光軸方向Ｌの所定範囲で移動するのを許容すると共に、接写する際の焦点位置に突出片３５´を規制し得るべく、カム面６１ａと平行に伸長しかつ所定の間隔をおいて形成されている。
レンズ保持枠３０から突出する突出片３５´は、その後面３５ａ´がカム面６１ａに当接し、その前面３５ｂ´が規制縁６１ｅ´に当接するように、後面３５ａ´と前面３５ｂ´とが平行になるように形成されている。
【００３８】
この構成によれば、カム調整部材６１´により通常の撮影を行なう際の焦点に合わせた状態において、規制縁６１ｅ´に規制されるまで（例えば、図９に示すように、カメラ側の切替えレバーＡにより）突出片３５´を移動させると、レンズＧ（レンズ保持枠３０）は、接写（マクロ撮影）を行なう際の合焦点位置に位置決めされる。
これにより、接写において良好な撮影画像が得られる。また、カム調整部材６１´に対して接写の際の焦点位置を規制する規制縁６１ｅ´を一体的に設けたことで、別個に設ける場合に比べて構造を簡略化できる。
【００３９】
上記のように、基本的には単焦点レンズの構造をなすレンズ鏡胴に対して、ガイドシャフト４０、調整機構６０（カム調整部材６１´、締結ネジ６２）を採用したことにより、焦点調整が容易になると共に、切替えレバーＡにより切替え操作を行なうだけで、通常撮影と接写（マクロ撮影）との両方において、ピントの合った良好な撮影画像を得ることができる。
【００４０】
上記実施形態においては、調整機構６０の一部をなすカム調整部材として、光軸方向Ｌに垂直な方向Ｖに往復動可能なカム調整部材６１，６１´を示したが、これに限定されるものではなく、光軸方向Ｌにカム作用を及ぼすものであれば、光軸方向Ｌに垂直な方向Ｖに限らず、その他の方向に移動自在であってもよい。
【００４１】
上記実施形態においては、レンズ保持枠３０を光軸方向Ｌの一方側に付勢するバネとして、光軸方向Ｌの後方に向けて付勢するバネ５０を示したが、これに限定されるものではなく、光軸方向Ｌの前方側に付勢する圧縮バネを採用し、突出片３５，３５´を前方側から後方側に移動させることで、接写（マクロ撮影）側の合焦点位置から通常撮影側の合焦点位置に焦点を合わせるように構成したものであってもよい。
【００４２】
上記実施形態においては、調整機構６０（カム調整部材６１，６１´、締結ネジ６２，６２´）をカバー筐体２０の外壁で支持する場合を示したが、これに限定されるものではなく、調整機構をベース１０の一部で支持するようにした構成を採用してもよい。
【産業上の利用可能性】
【００４３】
以上述べたように、本発明のレンズ鏡胴は、組み付け時において焦点合わせが容易に行なえ、又、組み付け後の再度の焦点合わせも容易に行なえ、さらには、接写（マクロ撮影）においても良好な撮影画像が得られるため、通常のデジタルカメラ等に適用されるのは勿論のこと、携帯電話機等の携帯型情報端末機に搭載されるモバイルカメラのレンズ鏡胴としても有用である。
【図面の簡単な説明】
【００４４】
【図１】本発明に係るレンズ鏡胴の一実施形態を示す外観斜視図である。
【図２】図１に示すレンズ鏡胴の分解斜視図である。
【図３】図１に示すレンズ鏡胴の側面図である。
【図４】図１に示すレンズ鏡胴の断面図である。
【図５】図１に示すレンズ鏡胴の断面図である。
【図６】図１に示すレンズ鏡胴の一部をなす調整機構を示す分解斜視図である。
【図７】本発明に係るレンズ鏡胴の他の実施形態を示す一部の外観斜視図である。
【図８】本発明に係るレンズ鏡胴のさらに他の実施形態を示す側面図である
【図９】図８に示すレンズ鏡胴の断面図である。
【符号の説明】
【００４５】
１０  ベース
１２  掛止片
２０  カバー筐体
２１  開口部
２２  長孔
２４  外壁
２５  ガイドピン
２６  ネジ孔
２７  ボス
２７ａ  ネジ穴
３０  レンズ保持枠
３２，３３，３４  被ガイド部
３５，３５´  突出片（レンズ保持枠の一部）
３６  掛止片
４０  ガイドシャフト（ガイド部材）
５０  バネ
６０  調整機構
６１，６１´  カム調整部材（調整機構）
６１ａ  カム面（カム部）
６１ｂ，６１ｃ  長孔
６１ｄ  調整孔
６１ｅ´  規制縁（規制部）
６２，６２´  締結ネジ（締結部材、調整機構）
６２ａ，６２ａ´  ネジ部
６２ｂ  ガイド部
１００  ガラスフィルタ
１１０  ＣＣＤ（撮像素子）
Ｐ  結像面
Ｌ  光軸方向
Ｖ  光軸方向に垂直な方向
【図１】
2006010885.tif 000003
【図２】
2006010885.tif 000004
【図３】
2006010885.tif 000005
【図４】
2006010885.tif 000006
【図５】
2006010885.tif 000007
【図６】
2006010885.tif 000008
【図７】
2006010885.tif 000009
【図８】
2006010885.tif 000010
【図９】
2006010885.tif 000011